【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  ＡＶＣサーバを操作する遠隔操作装置であって、
前記ＡＶＣサーバを操作するための制御信号を発生する制御部と、
前記制御部からの制御信号を前記ＡＶＣサーバに送信するとともに、前記ＡＶＣサーバとの間で所望のコンテンツデータを送受信する送受信部と、
前記送受信部からのコンテンツデータを記録媒体に記録する、または前記記録媒体からのデータを前記送受信部に出力する記録再生部と、
動作モードを切り替える切替手段とを備え、
前記制御部は、前記動作モードに応じて遠隔操作装置を、前記ＡＶＣサーバから制御される１つのドライブとするか、独立した携帯機器とするかの制御を行うことを特徴とする遠隔操作装置。
【請求項２】  前記記録媒体は、着脱可能な半導体メモリ装置であることを特徴とする請求項１記載の遠隔操作装置。
【請求項３】  前記送受信部は、前記制御信号と前記コンテンツデータとを異なる手段により送受信することを特徴とする請求項１記載の遠隔操作装置。
【請求項４】  前記半導体メモリ装置の装着を検出する手段を有し、前記制御部は、前記装着を検出した場合に、前記ＡＶＣサーバに対して電源をオンとする制御信号を発生することを特徴とする請求項２記載の遠隔操作装置。
【請求項５】  前記半導体メモリ装置の取り外しを検出する手段を有し、前記制御部は、前記取り外しを検出した場合に、前記ＡＶＣサーバに対して電源をオフとする制御信号を発生することを特徴とする請求項２記載の遠隔操作装置。
【請求項６】  請求項１ないし５のいずれかに記載の遠隔操作装置によって操作される前記ＡＶＣサーバであって、
コンテンツデータを記録する記録再生装置と、
前記遠隔操作装置との間でコンテンツデータを送受信するサーバ側送受信部と、
前記記録再生装置または前記サーバ側送受信部に対するコンテンツデータを圧縮または伸張する信号処理部とを備え、
前記記録再生装置に対するコンテンツデータの圧縮率より、前記サーバ側送受信部に対するコンテンツデータの圧縮率を大とすることを特徴とするＡＶＣサーバ。
【請求項７】  請求項１ないし５のいずれかに記載の遠隔操作装置によって操作される前記ＡＶＣサーバであって、
コンテンツデータを記録する記録再生装置と、
前記遠隔操作装置との間でコンテンツデータを送受信するサーバ側送受信部と、
前記記録再生装置または前記サーバ側送受信部に対するコンテンツデータを圧縮、伸張またはダイジェストを作成する信号処理部とを備え、
前記サーバ側送信部に対するコンテンツデータは、前記記録再生装置に対するコンテンツデータのダイジェストであることを特徴とするＡＶＣサーバ。
【請求項８】  請求項１ないし５のいずれかに記載の遠隔操作装置によって操作される前記ＡＶＣサーバであって、
コンテンツデータを記録する記録再生装置と、
前記遠隔操作装置との間でコンテンツデータを送受信するサーバ側送受信部と、
前記記録再生装置または前記サーバ側送受信部に対するコンテンツデータの出力を制御する信号処理部とを備え、
前記サーバ側送受信部に対するコンテンツデータの転送レートを、前記記録再生装置に対するコンテンツデータの転送レートより低くすることを特徴とするＡＶＣサーバ。
【請求項９】  前記遠隔操作装置との間で送受信が可能か否かを判断する制御部を備え、前記制御部は、送受信が可能となった際に、前記記録再生装置、信号処理部またはサーバ側送受信部を制御し、前記遠隔操作装置との間でコンテンツデータの送受信を行うことを特徴とする請求項６ないし８のいずれかに記載のＡＶＣサーバ。
【請求項１０】  前記遠隔操作装置に装着された記録媒体の空き容量を判断する制御部を備え、前記制御部は、記録するに十分な容量となった際に、前記記録再生装置、信号処理部またはサーバ側送受信部を制御し、前記遠隔操作装置との間でコンテンツデータの送受信を行うことを特徴とする請求項６ないし８のいずれかに記載のＡＶＣサーバ。
【手続補正２】
【補正対象書類名】明細書
【補正対象項目名】００１２
【補正方法】変更
【補正の内容】
【００１２】
【発明の実施の形態】
本発明の請求項１に記載の発明は、ＡＶＣサーバを操作する遠隔操作装置であって、前記ＡＶＣサーバを操作するための制御信号を発生する制御部と、前記制御部からの制御信号を前記ＡＶＣサーバに送信するとともに、前記ＡＶＣサーバとの間で所望のコンテンツデータを送受信する送受信部と、前記送受信部からのコンテンツデータを記録媒体に記録する、または前記記録媒体からのデータを前記送受信部に出力する記録再生部と、動作モードを切り替える切替手段とを備え、前記制御部は、前記動作モードに応じて遠隔操作装置を、前記ＡＶＣサーバから制御される１つのドライブとするか、独立した携帯機器とするかの制御を行うことを特徴とするものである。これにより、ユーザーはＡＶＣサーバの設置場所に移動することなく、手元にある遠隔操作装置のみで、データの記録再生を行うことができ、遠隔操作装置を独立した携帯端末機器として使用することができる。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
また、請求項６に記載の発明は、上記請求項１ないし５のいずれかに係る発明の遠隔操作装置によって操作される前記ＡＶＣサーバであって、コンテンツデータを記録する記録再生装置と、前記遠隔操作装置との間でコンテンツデータを送受信するサーバ側送受信部と、前記記録再生装置または前記サーバ側送受信部に対するコンテンツデータを圧縮または伸張する信号処理部とを備え、前記記録再生装置に対するコンテンツデータの圧縮率より、前記サーバ側送受信部に対するコンテンツデータの圧縮率を大とすることを特徴とするものである。これにより、ＡＶＣサーバと遠隔操作装置間の通信路容量が狭い場合であっても、早く送受信することができる。
【手続補正５】
【補正対象書類名】明細書
【補正対象項目名】００１９
【補正方法】変更
【補正の内容】
【００１９】
また、請求項７に記載の発明は、上記請求項１ないし５のいずれかに係る発明の遠隔操作装置によって操作される前記ＡＶＣサーバであって、コンテンツデータを記録する記録再生装置と、前記遠隔操作装置との間でコンテンツデータを送受信するサーバ側送受信部と、前記記録再生装置または前記サーバ側送受信部に対するコンテンツデータを圧縮、伸張またはダイジェストを作成する信号処理部とを備え、前記サーバ側送信部に対するコンテンツデータは、前記記録再生装置に対するコンテンツデータのダイジェストであることを特徴とするものである。これにより、ＡＶＣサーバと遠隔操作装置間の通信路容量が狭い場合であっても、大まかな情報を早く送受信することができる。
【手続補正６】
【補正対象書類名】明細書
【補正対象項目名】００２０
【補正方法】変更
【補正の内容】
【００２０】
また、請求項８に記載の発明は、上記請求項１ないし５のいずれかに係る発明の遠隔操作装置によって操作される前記ＡＶＣサーバであって、コンテンツデータを記録する記録再生装置と、前記遠隔操作装置との間でコンテンツデータを送受信するサーバ側送受信部と、前記記録再生装置または前記サーバ側送受信部に対するコンテンツデータの出力を制御する信号処理部とを備え、前記サーバ側送受信部に対するコンテンツデータの転送レートを、前記記録再生装置に対するコンテンツデータの転送レートより低くすることを特徴とするものである。ＡＶＣサーバと遠隔操作装置間の通信路容量が狭い場合であっても、ゆっくりではあるが品質の高いデータを送受信することができる。
【手続補正７】
【補正対象書類名】明細書
【補正対象項目名】００２１
【補正方法】変更
【補正の内容】
【００２１】
また、請求項９に記載の発明は、上記請求項６ないし８のいずれかに係る発明において、前記遠隔操作装置との間で送受信が可能か否かを判断する制御部を備え、前記制御部は、送受信が可能となった際に、前記記録再生装置、信号処理部またはサーバ側送受信部を制御し、前記遠隔操作装置との間でコンテンツデータの送受信を行うことを特徴とするものである。これにより、遠隔操作装置の位置を気にすることなく利用することができる。
【手続補正８】
【補正対象書類名】明細書
【補正対象項目名】００２２
【補正方法】変更
【補正の内容】
【００２２】
また、請求項１０に記載の発明は、上記請求項６ないし８のいずれかに係る発明において、前記遠隔操作装置に装着された記録媒体の空き容量を判断する制御部を備え、前記制御部は、記録するに十分な容量となった際に、前記記録再生装置、信号処理部またはサーバ側送受信部を制御し、前記遠隔操作装置との間でコンテンツデータの送受信を行うことを特徴とするものである。これにより、記録を途中で中止するなどの不本意な動作を回避することができる。
【手続補正９】
【補正対象書類名】明細書
【補正対象項目名】００３８
【補正方法】変更
【補正の内容】
【００３８】
以上のように本実施の形態によれば、ＡＶＣサーバ１と遠隔操作装置２との間の転送レートに合わせて送受信できるように、圧縮／伸張手段２０，２１を設け、圧縮／手段２０の圧縮率より、圧縮／伸張手段２１の圧縮率を大とすることで、ＡＶＣサーバ１と遠隔操作装置２の間の通信路容量が狭い（転送レートが低い）場合であっても、バッファリング制御することなく早く送受信することができる。